(57)【要約】【課題】作動役物の開閉扉を強制的に開成させる不正行為を長期間に亘って非常に効果的に防止することが可能なパチンコ機を提供する。【解決手段】パチンコ機１は、ＲＦＩＤ通信による呼出波を受信すると記憶している固有の識別情報を含む反射波を出力するＩＣタグ２６が、開閉扉１３に設置されている。また、ガラス板１５ａ、１５ｂを二重に嵌め込んだ前面枠５が、遊技領域４の前方に、開閉可能に設置されている。さらに、ＩＣタグ２６に対して呼出波を送信しＩＣタグ２６からの反射波を受信するアンテナ３２が、ガラス板１５ａ、１５ｂの間に設置されている。そして、前面枠５を閉じた場合に、ＩＣタグ２６とアンテナ３２とが、所定の位置関係で対峙するようになっている。【選択図】図２
2004283339.tif 000002
【特許請求の範囲】
【請求項１】
所定条件を充足した場合に作動する作動役物が遊技領域に設けられた遊技機であって、
ＲＦＩＤ通信による呼出波を受信すると記憶している識別情報を含む反射波を出力するＩＣタグが、前記作動役物の作動部材に設置されているとともに、
前記遊技領域の前方に、遊技空間を形成するための透明板を嵌め込んだ前面枠が開閉可能に設置されており、かつ、前記透明板に、前記ＩＣタグに対して呼出波を送信してＩＣタグからの反射波を受信するアンテナが設置されており、
前記前面枠を閉じた場合に、前記ＩＣタグと前記アンテナとが、ＲＦＩＤ通信可能に対峙した状態となることを特徴とする遊技機。
【請求項２】
作動部材の作動によって、ＩＣタグとアンテナとの対峙状態が変化し、ＩＣタグとアンテナとがＲＦＩＤ通信不能となることを特徴とする請求項１に記載の遊技機。
【請求項３】
アンテナが、透明板に貼着されていることを特徴とする請求項１、または請求項２に記載の遊技機。
【請求項４】
アンテナが、吸盤によって、透明板に貼着されていることを特徴とする請求項１〜３のいずれかに記載の遊技機。
【請求項５】
装飾部材が、アンテナを覆うように透明板または透明板を嵌め込んだ前面枠のフレームに設置されていることを特徴とする請求項１〜４のいずれかに記載の遊技機。
【請求項６】
透明板が、遊技空間を形成する第一透明板とその外側を保護する第二透明板とからなることを特徴とする請求項１〜５のいずれかに記載の遊技機。
【請求項７】
アンテナが、第一透明板に設置されているとともに、装飾部材が、扁平状に形成されており、前記アンテナを覆うように前記第一透明板と第二透明板の間に設置されていることを特徴とする請求項６に記載の遊技機。
【発明の詳細な説明】
【０００１】
【発明の属する技術分野】
本発明は、パチンコ機等の遊技機に関するものである。
【０００２】
【従来の技術】
通常のパチンコ機として、ソレノイド等の駆動装置の作動によって開閉する大型の開閉扉を備えた入賞装置が遊技領域に設けられており、所定条件を充足した場合に「大当たり状態」を生起させて、開閉扉を断続的に開成させるものが知られている。かかる大型の開閉扉を設けたパチンコ機においては、ピアノ線等を遊技領域に挿入し開閉扉を強制的に開成させて大量の遊技球を獲得する不正行為が行われることがある。それゆえ、そのような不正行為を防止することが可能なパチンコ機として、ソレノイドのプランジャの先端と開閉扉を連結するロック機構を設け、ソレノイドを作動させない限り開閉扉を開成させることができないようにしたものが考案されている（たとえば、特許文献１）。
【０００３】
【特許文献１】
特開２００２−３５３３９号公報
【０００４】
【発明が解決しようとする課題】
しかしながら、上記した開閉扉にロック機構を設けたパチンコ機は、ロック機構の構造が複雑であるため、長期間に亘って使用されると、ロック機構が損傷し易く、「大当たり状態」が生起したにも拘わらず、開閉扉が開成しない、というトラブルが発生することがある。
【０００５】
本発明の目的は、上記従来のパチンコ機が有する問題点を解消し、開閉扉を強制的に開成させる不正行為を長期間に亘って非常に効果的に防止することが可能なパチンコ機を提供することにある。
【０００６】
【課題を解決するための手段】
かかる本発明の構成のうち、請求項１に記載された発明の構成は、所定条件を充足した場合に作動する作動役物が遊技領域に設けられた遊技機であって、ＲＦＩＤ通信による呼出波を受信すると記憶している識別情報を含む反射波を出力するＩＣタグが、前記作動役物の作動部材に設置されているとともに、前記遊技領域の前方に、遊技空間を形成するための透明板を嵌め込んだ前面枠が開閉可能に設置されており、かつ、前記透明板に、前記ＩＣタグに対して呼出波を送信してＩＣタグからの反射波を受信するアンテナが設置されており、前記前面枠を閉じた場合に、前記ＩＣタグと前記アンテナとが、ＲＦＩＤ通信可能に対峙した状態となることにある。
【０００７】
請求項２に記載された発明の構成は、請求項１に記載された発明において、作動部材の作動によって、ＩＣタグとアンテナとの対峙状態が変化し、ＩＣタグとアンテナとがＲＦＩＤ通信不能となることにある。
【０００８】
請求項３に記載された発明の構成は、請求項１、または請求項２に記載された発明において、アンテナが、透明板に貼着されていることにある。
【０００９】
請求項４に記載された発明の構成は、請求項１〜３のいずれかに記載された発明において、アンテナが、吸盤によって、透明板に貼着されていることにある。
【００１０】
請求項５に記載された発明の構成は、請求項１〜４のいずれかに記載された発明において、装飾部材が、アンテナを覆うように透明板または透明板を嵌め込んだ前面枠のフレームに設置されていることにある。
【００１１】
請求項６に記載された発明の構成は、請求項１〜５のいずれかに記載された発明において、透明板が、遊技空間を形成する第一透明板とその外側を保護する第二透明板とからなることにある。
【００１２】
請求項７に記載された発明の構成は、請求項６に記載された発明において、アンテナが、第一透明板に設置されているとともに、装飾部材が、扁平状に形成されており、前記アンテナを覆うように前記第一透明板と第二透明板の間に設置されていることにある。
【００１３】
【発明の実施の形態】
以下、本発明に係る遊技機の一実施形態であるパチンコ機について、図面に基づき、次の目次の順序にしたがって、詳細に説明する。
（１）実施例のパチンコ機の概要
（２）実施例のパチンコ機の構造
（３）実施例のパチンコ機の動作内容
（４）実施例のパチンコ機の効果
（５）本発明の変更例の説明
【００１４】
１．実施例のパチンコ機の概要
本発明に係るパチンコ機は、遊技領域に設けられた作動役物であるアタッカ装置の開閉扉（作動部材）にＩＣタグが設けられているとともに、前面枠に嵌め込まれた透明板である二重のガラス板の間にアンテナが設置されており、それらのＩＣタグとアンテナとが、ＲＦＩＤ（Ｒａｄｉｏ  Ｆｒｅｑｕｅｎｃｙ  ｉｄｅｎｔｉｆｉｃａｔｉｏｎ）通信（無線通信）を定期的に繰り返すことによって、アタッカ装置の状態（開閉の有無）を常時監視するようになっている。そして、「大当たり」生起時以外にＩＣタグとアンテナとの無線通信が途切れた場合には、所定の信号を外部に出力し、開閉扉が不正に開放された可能性があることを報知するようになっている。
【００１５】
２．実施例のパチンコ機の構造
図１、図２は、パチンコ機１を示したものであり、パチンコ機１は、中央よりやや上側に略正方形の遊技盤２が設けられている。また、遊技盤２には、誘導レール３で囲まれた略円形の遊技領域４が設けられている。一方、遊技盤２の前方には、前面枠５が片開き自在に設置されている。
【００１６】
前面枠５は、フレーム８と２枚のガラス板１５ａ、１５ｂ等によって構成されている。フレーム８の中央には、円形の遊技窓３５が穿設されている。また、フレーム８の後側の周縁際には、前後に２列の嵌合溝２７，２７が設けられている。そして、それらの嵌合溝２７，２７に、それぞれ、約３ｍｍの厚みを有する扁平なガラス板１５ａ，１５ｂ（透明板）が嵌め込み設置されており、所定の間隔（約８ｍｍ）を隔てて平行に配置した状態になっている。さらに、図１に示すように、前面枠５の上端際には、電光掲示方式により種々のメッセージを表示可能な表示器６２が設置されている。また、２枚のガラス板１５ａ，１５ｂの間には、アンテナ３２が設置されている。そして、遊技領域４の前方が内側のガラス板１５ａによって閉塞されることによって扁平な円柱状の遊技空間が形成されており、遊技球が流下可能になっている。
【００１７】
一方、遊技領域４の略中央には、液晶画面を有する図柄表示装置１０が設けられている。図柄表示装置１０は、種々の動画やメッセージ等を液晶画面に表示することができるようになっている。さらに、図柄表示装置１０の下側には、図柄始動口１２が設けられており、その図柄始動口１２の下方には、開閉扉（作動部材）１３を有するアタッカ装置（作動役物）１４が設けられている。
【００１８】
図３は、図１におけるＡ−Ａ線断面を示したものであり、図４は、図３の一部（破線で囲んだ部分）を拡大して示したものである。アタッカ装置１４の開閉扉１３は、ソレノイド等の駆動装置（図示せず）によって、左右両端の下端際に突設された支軸２８，２８を中心として、所定角度（約７０°）だけ前方に傾斜可能になっている。また、開閉扉１３の前方の表面には、小型で扁平な長方形状のＩＣタグ２６が、接着剤によって強固に貼着されている。さらに、ＩＣタグ２６の前側には、装飾シール（図示せず）が貼付されており、ＩＣタグ２６の存在が分からないようになっている。なお、ＩＣタグ２６は、開閉扉１３の前方の表面に設けた凹状部１１に貼着されており、開閉扉１３の前方の表面は、アタッカ装置１４のベース板３３と略面一になっている。
【００１９】
図５は、ＩＣタグ２６の外観を示したものであり、図６は、ＩＣタグ２６の制御機構を示したものである。ＩＣタグ２６は、薄いフレキシブルプリント基板１６上に、ＲＦ回路１７とＥＥＰＲＯＭ１８とを一体にしたＩＣチップ１９、およびアンテナ回路２０を設けたものであり、ＲＦ回路１７にＥＥＰＲＯＭ１８と送受信回路２０とが接続された状態になっている。そして、ＥＥＰＲＯＭ１８の上書消去禁止区域には、ＩＣタグ２６を他のＩＣタグと識別するための識別データ（識別情報）が記憶されている。
【００２０】
かかるＩＣタグ２６は、アンテナ３２との間で、所定の周波数（ここでは、１３．５６ＭＨｚ）を利用して、ノイズの影響が比較的に少ないＲＦ（Ｒａｄｉｏ  Ｆｒｅｑｕｅｎｃｙ）送受信を行うことが可能であり、呼出波を受信すると、予め登録された識別情報を含む反射波を、所定の通信範囲（約３０ｍｍ）内に出力（返信）する。なお、その反射波は、合成樹脂やガラスなどの非金属を透過する。また、反射波の返信は、ＥＥＰＲＯＭ１８からＩＤコード等の識別情報を読み出し、その識別情報を反射波に乗せてＲＦ回路１７から送信することによって行われる。さらに、ＩＣタグ２６は、送信された呼出波を送受信回路２０が受信し、呼出波に含まれた搬送波成分をＲＦ回路１７で整流することによって直流電圧を得ることができるため、外部からの電源供給を受けることなく、必要な時にいつでも反射波を返信することができる。加えて、ＩＣタグ２６は、呼出波に乗せて送信された特定のデータ（異常の履歴等）をＥＥＰＲＯＭ１８に記憶しておくことができる。
【００２１】
なお、ＩＣタグ２６は、電磁波を媒体としてアンテナ３２とＲＦ送受信を行うため、ＩＣタグ２６の誤動作（呼出波の受信エラー等）を防止する目的で、電磁波を発生させるソレノイド等の装置（たとえば、開閉扉１３を開閉させる駆動装置）は、ＩＣタグ２６から離れた位置に配置されている。また、ＩＣタグ２６は、送受信方向に指向性を有しており、左右上下のいずれの方向に対しても、前面の垂線に対して±１０°の範囲内においてのみ送受信することができる。したがって、ＩＣタグ２６は、アンテナ３２に対して略平行に位置した場合にのみ、アンテナ３２との送受信することができる。さらに、ＩＣタグ２６は、開閉扉１３を閉じた状態において、ガラス板１５ａ，１５ｂの間に設置されたアンテナ３２に対して略平行に配置するように調整されている。
【００２２】
一方、上述したように、内側のガラス板（遊技盤面から近い側のガラス板）１５ｂの外面（２つのガラス板１５ａと対向した面）には、アンテナ３２が取り付けられている（図２参照）。図７は、アンテナ３２を示したものであり、アンテナ３２は、硬質な合成樹脂（ポリカーボネート）製のプリント基板２１の表面に、送受信回路２２が渦巻き状に形成されている。そして、送受信回路２２の両端縁の端子３０，３０に、同軸ケーブル３７が接続されている。また、プリント基板２１の四隅に、軟質な合成樹脂（塩化ビニル）製の吸盤部材２３，２３・・が取り付けられている。各吸盤部材２３，２３・・は、凹状の球面を有する円形の吸着部２４と、吸着部２４の中央部分の外側に設けられた固定部２５とからなり、固定部２５がアンテナ３２のプリント基板２１に接着されている。かかるアンテナ３２は、４個の吸盤部材２３，２３・・を、その弾性を利用して、ガラス面に吸着させることによって、ガラス板１５ｂに取り付けられている。なお、アンテナ３２は、電磁波を媒体としてＩＣタグ２６とＲＦ送受信を行うため、アンテナ３２の誤動作（呼出波の受信エラー等）を防止する目的で、電磁波を発生させるソレノイド等の装置は、アンテナ３２から離れた位置に配置されている。
【００２３】
また、図１に示すように、外側のガラス板（遊技盤面から遠い側のガラス板）１５ａの内側面（ガラス板１５ｂと対向した面と隣接した位置）には、パチンコ機１の遊技内容を説明した装飾部材である遊技説明紙片２９が設置されており（セロハンテープによってガラス板１５ａに貼着されており）、ＩＣタグ２６を設置した開閉扉１３およびアンテナ３２の前方を覆って、遊技者から見えないようにしているとともに、遊技領域４の下端際の装飾性を良好なものとしている。なお、遊技領域４には、上記した部材以外にも、種々の電飾ランプ、風車および多数の障害釘等が設けられている。また、遊技領域４の下側には、発射装置（図示せず）に遊技球を供給するための供給皿６が設けられており、その供給皿６の下側には、供給皿６から溢れた遊技球を貯留する貯留皿７が設けられている。加えて、貯留皿７の右側には、発射装置を操作するための発射ハンドル９が設けられている。
【００２４】
一方、図８は、パチンコ機１の裏面を示したものである。パチンコ機１の裏面の左下方には、パチンコ機の作動内容を制御するための制御装置３１が設けられており、ＬＳＩ３４等の制御素子が内蔵されている。そして、制御装置３１の上方のセンターカバー３６の内部には、ＩＣタグ２６とアンテナ３２との周期的な無線通信により開閉扉１３の状態を監視するための監視手段であるリーダ／ライタユニット（以下、Ｒ／Ｗユニットという）３８が設置されている。図９は、Ｒ／Ｗユニット３８の制御機構を示したものであり、Ｒ／Ｗユニット３８は、ＣＰＵ５１、ＲＡＭ６３、ＲＯＭ６４、ＥＥＰＲＯＭ５２、タイマ５３、ＩＣタグ２６との間でＲＦ送受信を行うためのＲＦ回路５８等を有している。また、ＣＰＵ５１が、Ｉ／Ｏインタフェイス５９を介して、ＬＡＮカード６０、制御装置３１、前面枠５に設置された表示器６２等と接続されている。なお、Ｒ／Ｗユニット３８は、パチンコ機１が設置される島設備から電源供給を受けるようになっている。また、アンテナ３２の同軸ケーブル３７が、Ｒ／Ｗユニット３８のＲＦ回路５８に接続されている。
【００２５】
３．実施例のパチンコ機の動作内容
パチンコ機１は、制御装置３１のＬＳＩ３４に記憶されたプログラムにしたがって、主たる遊技動作を実行する。そして、発射ハンドル９の回転操作によって遊技領域４に打ち出された遊技球が図柄始動口１２に入賞すると、ＬＳＩ３４で「抽選」を実行し、「大当たり」を生起させるか否かを決定する。また、「抽選」を実行すると略同時に、図柄表示装置１０の液晶画面に表示された図柄を変動させ（他の図柄と順々に入れ替わる動画を表示し）、所定時間後に停止させて新たな図柄を表示する。さらに、「抽選」において「大当たり」が生起した場合には、図柄の変動後に、予め設定された「大当たり図柄」を表示するとともに、「大当たり状態」を生起させて、アタッカ装置１４の開閉扉１３を、所定回数だけ断続的に開成させる。なお、アタッカ装置１４の開閉扉１３は、「大当たり状態」生起時以外では開成しないようになっている。一方、開閉扉１３の内部の大入賞口や各種の入賞装置に遊技球が入賞した場合には、所定数の遊技球を賞品球として供給皿６に払い出す。また、「大当たり状態」が生起した場合には、ＬＳＩ３４から、Ｒ／Ｗユニット３８のＲＦ回路５８へ、「大当たり」を報知する報知信号が送信される。そして、「大当たり状態」中には、ＬＳＩ３４から、Ｒ／Ｗユニット３８のＲＦ回路５８へ、大当たり信号を出力し続ける。
【００２６】
また、パチンコ機１は、アタッカ装置１４の開閉扉１３の状態を監視するために、Ｒ／Ｗユニット３８のＲＦ回路５８が、前面枠５に設置されたアンテナ３２を介して、開閉扉１３に設置されたＩＣタグ２６に対して、所定の周波数（１３．５６ＭＨｚ）の呼出波を送信（ＲＦ送信）する。ＩＣタグ２６は、呼出波を受けると、直ちに、ＥＥＰＲＯＭ１８内から識別コードを呼び出し、その識別コードを含めた反射波を送信（ＲＦ送信）する。ＩＣタグ２６が反射波を送信すると、Ｒ／Ｗユニット３８は、アンテナ３２によって、その反射波を受信（ＲＦ受信）する。Ｒ／Ｗユニット３８は、反射波に含まれる識別コードが登録されたものであると確認すると、再度、直ちに呼出波を送信する。
【００２７】
また、Ｒ／Ｗユニット３８は、「大当たり状態」の生起中以外の場合において、呼出波を送信してから所定時間（たとえば、５０ｍｓ）内に反射波を受信しなかった場合には、異常と判断し、異常を検知した旨をＥＥＰＲＯＭ５２に記憶するとともに、異常を検知した旨を表示器６２に表示する。Ｒ／Ｗユニット３８は、かかる監視動作を、短時間（約数十ｍｓ）の周期で繰り返し実行する。なお、このような開閉扉１３の監視動作を実行するプログラムとしては、図１０の如きプログラムを用いることができる。
【００２８】
また、開閉扉１３に設置されたＩＣタグ２６は、上述の如く送受信方向に指向性があるため、図３（ｂ）の如く、開閉扉１３が所定の角度（ここでは、約１０°）以上に開成すると、ＩＣタグ２６とアンテナ３２との間でＲＦ送受信をすることができなくなる。したがって、「大当たり状態」の生起中以外の場合において、開閉扉１３が開放された場合には、Ｒ／Ｗユニット３８は、呼出波を送信してから所定時間内に反射波を受信できないため、不正に開閉扉１３が開放されたと判断し、その異常を検知した旨をＥＥＰＲＯＭ５２に記憶するとともに、異常を検知した旨を表示器６２に表示する。
【００２９】
さらに、前面枠５が不正に開放されると、ＩＣタグ２６とアンテナ３２との距離が増大するため、ＩＣタグ２６とアンテナ３２との間でＲＦ送受信をすることができなくなる。したがって、前面枠５が開放された場合には、Ｒ／Ｗユニット３８は、呼出波を送信してから所定時間内に反射波を受信できないため、前面枠５が開放されたと判断し、その異常を検知した旨をＥＥＰＲＯＭ５２に記憶するとともに、異常を検知した旨を表示器６２に表示する。したがって、パチンコホールの店員以外による前面枠５の不正な開放をも知ることができる。
【００３０】
４．実施例のパチンコ機の効果
パチンコ機１は、上記の如く、開閉扉１３にＩＣタグ２６が設置されているとともに、遊技領域４の前方に、透明板（ガラス板１５ａ、１５ｂ）を嵌め込んだ前面枠５が開閉可能に設置されており、かつ、透明板（ガラス板１５ｂ）に、アンテナ３２が設置されており、前面枠５を閉じた場合に、ＩＣタグ２６とアンテナ３２とが、ＲＦＩＤ通信可能に対峙した状態となるように構成されている。したがって、前面枠５が不正に開放された場合には、ＩＣタグ２６とアンテナ３２とが送受信不能となり、不正に開放された事態を直ちに（リアルタイムで）検知することができる。したがって、前面枠５を開放して開閉扉１３を強制的に開成させて大量の遊技球を獲得する不正行為を、効果的に防止することができる。加えて、すでにパチンコホールに設置されている旧型のパチンコ機や、種々のメーカーによって製造された異なるタイプのパチンコ機に、アンテナ３２、ＩＣタグ２６およびＲ／Ｗユニット３８を設置するだけで、非常に容易に製造することができる。
【００３１】
また、パチンコ機１は、開閉扉１３の開閉によって、ＩＣタグ２６とアンテナ３２との対峙状態（対峙角度）が変化し、ＩＣタグ２６とアンテナ３２とがＲＦＩＤ通信不能となるためように構成されている。したがって、ピアノ線等が遊技領域４に挿入されて、開閉扉１３が不正に開放された場合には、ＩＣタグ２６とアンテナ３２とが送受信不能となり、不正に開放された事態を直ちに検知することができる。したがって、ピアノ線等を利用して開閉扉１３を強制的に開成させる不正行為を、効果的に防止することができる。
【００３２】
また、パチンコ機１は、アンテナ３２が、透明板（ガラス板１５ｂ）の外側面に貼着されているため、製造時におけるアンテナ３２の設置が非常に容易である。
【００３３】
さらに、パチンコ機１は、アンテナ３２が、吸盤部材２３，２３・・によって、透明板（ガラス板１５ｂ）に貼着されているため、吸盤部材２３，２３・・の吸着力を高くするだけでアンテナ３２の位置がずれにくくなり、ＩＣタグ２６とアンテナ３２とが、不正行為が行われていない不必要なタイミングで、不正行為が行われたものと誤って検知する、という事態の発生を効果的に防止することができる。
【００３４】
さらに、パチンコ機１は、装飾部材である遊技説明紙片２９が、アンテナ３２を覆うように透明板（ガラス板１５ｂ）の外側面に設置されており、遊技者からＩＣタグ２６とアンテナ３２とが見えにくくなっているため、開閉扉１３の不正開放を効果的に摘発することができる。
【００３５】
加えて、パチンコ機１は、透明板が、遊技空間を形成する第一透明板であるガラス板１５ａとその外側を保護する第二透明板であるガラス板１５ｂとによって構成されているため、遊技者が容易にアンテナ３２に触れることができず、アンテナ３２の位置がずれにくいため、ＩＣタグ２６とアンテナ３２とが、不正行為が行われていない不必要なタイミングで、不正行為が行われたものと誤って検知する、という事態が生じない。
【００３６】
その上、パチンコ機１は、アンテナ３２が、ガラス板１５ａの外側面に設置されているとともに、遊技説明紙片２９が、扁平状に形成されており、アンテナ３２を覆うようにガラス板１５ａとガラス板１５ｂとの間に設置されているため、遊技者が容易に遊技説明紙片２９に触れることができないので、遊技説明紙片２９が剥がれたり、遊技説明紙片２９の位置がずれたりして、アンテナ３２が露呈する、という事態が生じない。それにも拘わらず、遊技説明紙片２９を非常に容易に交換することができる。
【００３７】
５．本発明の変更例の説明
本発明の遊技機は、上記実施形態の態様に何ら限定されるものではなく、基板、ＩＣタグ、アンテナ、前面枠、装飾部材の材料、形状、構造等の構成を本発明の趣旨を逸脱しない範囲内で適宜変更することができる。
【００３８】
たとえば、遊技機は、アタッカ装置の扉部材にＩＣタグを取り付けるとともに透明板にアンテナを取り付けたものに限定されず、アタッカ装置の扉部材にアンテナを取り付けるとともに透明板にＩＣタグを取り付けたものでも良い。
【００３９】
また、遊技機は、前面枠に二重のガラス板を嵌め込んだものに限定されず、前面枠にガラス板を１枚だけ嵌め込んだものでも良い。かかる場合には、接着等の方法によりガラス板の外側面にアンテナを接着させるとともに、そのアンテナを覆うように装飾部材をガラス板の外側面に接着させる構成を採用することも可能である。
【００４０】
一方、装飾部材は、紙製のものに限定されず、合成樹脂や金属製のもの等でも良い。また、装飾部材は、前面枠と別個に形成したものに限定されず、遊技領域の下端際を覆うように前面枠のフレームに一体的に形成したもの等でも良い。加えて、装飾部材の設置方法は、透明板に貼着する方法に限定されず、前面枠のフレームに固着する方法等に変更することも可能である。
【００４１】
また、前面枠に嵌め込む透明板は、ガラス板に限定されず、アクリル等の合成樹脂製の板に変更することも可能である。
【００４２】
さらに、ＩＣタグの反射波の出力範囲（通信距離）は、コイルの巻き数の変更等によって、適宜調整することが可能である。加えて、ＩＣタグは、左右上下のいずれの方向に対しても前面の垂線に対して±１０°の範囲内においてのみ送受信可能なものに限定されず、より指向性の強いもの（送受信可能な角度が狭いもの）や指向性の弱いもの（送受信可能な角度が広いもの）に変更することも可能である。
【００４３】
また、遊技機は、１個の開閉扉にＩＣタグを設置したものに限定されず、２個以上の開閉扉が設けられており、複数の開閉扉にＩＣタグが設置されたものでも良い。さらに、上記実施形態の如く、ＩＣタグを開閉扉の外側に設けたものに限定されず、ＩＣタグを開閉扉の内側に設けたものでも良い。加えて、ＩＣタグを開閉扉に設置する方法は、上記実施形態の如く、接着剤によって接着する方法に限定されず、ＩＣタグを構成する樹脂を開閉扉に融着させる方法や、一体成形によりＩＣタグを開閉扉の内部に埋設する方法等を採用することができる。加えて、ＩＣタグを、裏面に粘着剤を塗布したシールとするとともに、粘着剤層の表面に剥離紙を貼着しておき、設置する際に剥離紙を剥離して貼着するように構成すれば、ＩＣタグの設置が非常に容易になる、というメリットがある。
【００４４】
また、ＩＣタグは、遊技機の出荷時に識別コードを記憶させたものばかりでなく、メーカーＩＤやホールＩＤ等の識別情報をも記憶させたもの等でも良い。
【００４５】
一方、二重のガラス板の間においてアンテナを設置する方法は、吸盤を用いて貼着する方法に限定されず、粘着剤を用いて粘着させる方法等でも良い。加えて、アンテナを、裏面に粘着剤を塗布したシールとするとともに、粘着剤層の表面に剥離紙を貼着しておき、設置する際に剥離紙を剥離して貼着するようにすれば、アンテナの設置が非常に容易になる、というメリットがある。また、アンテナは、装飾部材の裏側に設置することも可能であるし、装飾部材の裏側に送受信回路を直接的に設けることによって、アンテナを装飾部材と一体にすることも可能である。
【００４６】
さらに、上記の如く、ＩＣタグやアンテナをシールとする場合には、ＩＣタグやアンテナを、剥離された場合に機能を果たさなくなるようにする（いわゆる、自己破壊タイプのものとする）ことも可能である。そのように構成した場合には、遊技機が奏する開閉扉の不正開放防止機能をより精度の高いものとすることが可能となる。なお、ＩＣタグやアンテナを自己破壊タイプのものとする方法としては、フレキシブルプリント基板の表面に積層する粘着剤層中に送受信回路を形成する方法や、剥離によって所定量以上の応力が加わると短絡するような回路をＩＣタグやアンテナに設ける（内蔵させる）方法等を採用することができる。
【００４７】
加えて、Ｒ／Ｗユニットは、開閉扉の定期的な監視のみを行うものに限定されず、テンキー等の入力手段が設けられており、所定の入力をすることによって、任意のタイミングで開閉扉の監視を行うことができるものに変更することも可能である。なお、Ｒ／Ｗユニットを、上記実施形態の如く、ごく短期間の周期の定期的な監視を行うものとした場合には、不正行為が行われた事態をリアルタイムで把握することができる、というメリットがある。また、Ｒ／Ｗユニットは、異常を検知した旨を不揮発性の記憶手段であるＥＥＰＲＯＭに記憶するものに限定されず、通常のＲＯＭ，ＲＡＭ、ハードディスク、光メディア等の記憶手段に記憶するもの等でも良い。さらに、Ｒ／Ｗユニットは、パチンコ機が設置される島設備から電源供給を受けるものに限定されず、パチンコ機から電源供給を受けるもの等でも良い。
【００４８】
また、Ｒ／Ｗユニットは、携帯端末（たとえば、ＰＤＡや携帯電話）等の外部の機器からの呼び出しに応じて、記憶手段に記憶させた監視履歴に関する情報を出力するものとすることも可能である。さらに、Ｒ／Ｗユニットは、異常と判断した場合に、異常を検知した旨を記憶したり、表示器に表示したりするものに限定されず、パチンコホールの管理コンピュータ等の外部の装置へ所定の異常検知信号を出力するものでも良い。加えて、Ｒ／Ｗユニットは、遊技領域に設けられた作動部材のみを監視するものに限定されず、制御装置をも監視するものに変更することも可能である。
【００４９】
一方、遊技機は、上記実施形態の如く、開閉扉等の作動部材が作動したときにＩＣタグとアンテナとの無線通信が遮断されるものに限定されず、開閉扉にＩＣタグを開閉扉の開成角度だけ傾斜させた状態で取り付ける等の方法により、通常時にはＩＣタグとアンテナとの無線通信が遮断されており、開閉扉等の作動部材が作動したときに、ＩＣタグとアンテナとの無線通信が可能になるものに変更することも可能である。
【００５０】
【発明の効果】
請求項１に記載された遊技機は、ＲＦＩＤ通信による呼出波を受信すると記憶している識別情報を含む反射波を出力するＩＣタグが、作動役物の作動部材に設置されているとともに、遊技領域の前方に、遊技空間を形成するための透明板を嵌め込んだ前面枠が開閉可能に設置されており、かつ、透明板に、ＩＣタグに対して呼出波を送信してＩＣタグからの反射波を受信するアンテナが設置されており、前面枠を閉じた場合に、前記ＩＣタグと前記アンテナとが、ＲＦＩＤ通信可能に対峙した状態となるように構成されている。それゆえ、前面枠が不正に開放された場合には、ＩＣタグとアンテナとが送受信不能となり、不正に開放された事態を直ちに（リアルタイムで）検知することができる。したがって、前面枠を開放して作動部材を強制的に操作して大量の遊技球を獲得する不正行為を、効果的に防止することができる。加えて、すでにパチンコホールに設置されている旧型のパチンコ機や、種々のメーカーによって製造された異なるタイプのパチンコ機に、アンテナ、ＩＣタグ、および監視手段を設置するだけで、非常に容易に製造することができる。
【００５１】
請求項２に記載された遊技機は、作動部材の作動によって、ＩＣタグとアンテナとの対峙状態が変化し、ＩＣタグとアンテナとがＲＦＩＤ通信不能となるため、ピアノ線等が遊技領域に挿入されて、作動部材が不正に操作された場合には、ＩＣタグとアンテナとが送受信不能となり、不正に操作された事態を直ちに検知することができる。したがって、ピアノ線等を利用して作動部材を強制的に操作して大量の遊技球を獲得する不正行為を、効果的に防止することができる。
【００５２】
請求項３に記載された遊技機は、アンテナが、透明板に貼着されているため、ガラス板へのアンテナの設置、ガラス板からのアンテナの取り外しが非常に容易である。
【００５３】
請求項４に記載された遊技機は、アンテナが、吸盤によって、透明板に貼着されているため、吸盤の吸着力を高くするだけでアンテナの位置がずれにくくなり、ＩＣタグとアンテナとが、不正行為が行われていない不必要なタイミングで、不正行為が行われたものと誤って検知する、という事態の発生を効果的に防止することができる。
【００５４】
請求項５に記載された遊技機は、装飾部材が、アンテナを覆うように透明板または透明板を嵌め込んだ前面枠のフレームに設置されており、遊技者からＩＣタグとアンテナとが見えにくくなっているため、作動部材の不正操作を効果的に摘発することができる。
【００５５】
請求項６に記載された遊技機は、透明板が、遊技空間を形成する第一透明板とその外側を保護する第二透明板とからなるため、遊技者が容易にアンテナに触れることができず、アンテナの位置がずれにくいため、ＩＣタグとアンテナとが、不正行為が行われていない不必要なタイミングで、不正行為が行われたものと誤って検知する、という事態が生じない。
【００５６】
請求項７に記載された遊技機は、アンテナが、第一透明板に設置されているとともに、装飾部材が、扁平状に形成されており、前記アンテナを覆うように前記第一透明板と第二透明板の間に設置されているため、遊技者が容易に装飾部材に触れることができないので、装飾部材が剥がれたり、装飾部材の位置がずれたりして、アンテナが露呈する、という事態が生じない。それにも拘わらず、装飾部材を非常に容易に交換することができる。
【図面の簡単な説明】
【図１】パチンコ機の正面図である。
【図２】パチンコ機（前面枠を片開きしてガラス板を上方にスライドさせた状態）の斜視図である。
【図３】図１におけるＡ−Ａ線断面図である（なお、（ａ）は開閉扉が閉じている状態であり、（ｂ）は開閉扉が開いている状態である）。
【図４】図３の部分拡大図である。
【図５】ＩＣタグの正面図である。
【図６】ＩＣタグの制御機構を示すブロック図である。
【図７】アンテナの正面図（ａ）、斜視図（ｂ）、断面図（ｃ）である（なお、断面図（ｃ）は、正面図（ａ）におけるＡ−Ａ線断面を示したものである）。
【図８】パチンコ機の裏面図である。
【図９】Ｒ／Ｗユニットの制御機構を示すブロック図である。
【図１０】監視動作を実行するためのプログラムの一例を示すフローチャートである。
【符号の説明】
１・・パチンコ機（遊技機）、４・・遊技領域、５・・前面枠、１３・・開閉扉（作動部材）、１４・・アタッカ装置（作動役物）、１５ａ，１５ｂ・・ガラス板（透明板）、２３・・吸盤部材（吸盤）、２６・・ＩＣタグ、２９・・遊技説明紙片（装飾部材）、３２・・アンテナ、３８・・Ｒ／Ｗユニット。
【図１】
2004283339.tif 000003
【図２】
2004283339.tif 000004
【図３】
2004283339.tif 000005
【図４】
2004283339.tif 000006
【図５】
2004283339.tif 000007
【図６】
2004283339.tif 000008
【図７】
2004283339.tif 000009
【図８】
2004283339.tif 000010
【図９】
2004283339.tif 000011
【図１０】
2004283339.tif 000012